(57)【要約】      （修正有）【課題】シート状の広告幕体を内照式看板の四辺に形成された凹部に挿入固定するための厚みテープにおいて、当該厚みテープが貼付された状態でもシート状の広告幕体を巻いて収用できるようにする。【解決手段】厚みテープ２０の表面に、所定間隔を置いて厚みテープ２０の長手方向と直交する方向に複数のＶ字状溝２１又はスリットを形成し、裏面には両面テープ３０を貼付する。【選択図】図３
0003207052.tif 000002
【実用新案登録請求の範囲】
【請求項１】
シート状の広告幕体を内照式看板の四辺に形成された凹部に挿入固定するための厚みテープであって、
前記厚みテープの表面には所定間隔を置いて前記厚みテープの長手方向と直交する方向に複数のＶ字状溝又はスリットが形成され、裏面には接着剤が貼付されている、
ことを特徴とするシート状広告幕体固定用の厚みテープ。
【請求項２】
前記厚みテープは、ＰＰ樹脂、発泡ＰＰ樹脂、ウレタン樹脂、発泡ウレタン樹脂、軟質塩ビ樹脂、発泡塩ビ樹脂、ＰＥ樹脂、発泡ＰＥ樹脂、ＡＢＳ樹脂、発泡ＡＢＳ樹脂、スチロール樹脂、発泡スチロール樹脂のいずれかで形成され、その厚みは２〜４ｍｍである、
ことを特徴とする請求項１に記載のシート状広告幕体固定用の厚みテープ。
【請求項３】
前記Ｖ字状溝又はスリットは、２〜３ｃｍ間隔で形成されている、
ことを特徴とする請求項１又は２に記載のシート状広告幕体固定用の厚みテープ。
【請求項４】
前記厚みテープの幅は１〜２ｃｍである、
ことを特徴とする請求項１ないし３のいずれか１項に記載のシート状広告幕体固定用の厚みテープ。
【請求項５】
前記接着剤は、両面接着テープである、
ことを特徴とする請求項１ないし４のいずれか１項に記載のシート状広告幕体固定用の厚みテープ。
【請求項６】
前記Ｖ字状溝又はスリットの深さは、前記厚みテープの厚さの６０〜８０％である、
ことを特徴とする請求項１ないし５のいずれか１項に記載のシート状広告幕体固定用の厚みテープ。
【請求項７】
請求項１ないし６のいずれか１項に記載の厚みテープが、四辺部分に接着固定されている、
ことを特徴とする内照式看板用のシート状広告幕体。
【考案の詳細な説明】
【技術分野】
【０００１】
本考案は、内照式看板にセットされるシート状の広告幕体を、当該内照式看板の四辺に形成された凹部に挿入固定するための厚みテープ、及び当該厚みテープが接着固定されたシート状広告幕体に関する。
【背景技術】
【０００２】
複数のＬＥＤ素子や蛍光灯等が内蔵された内照式看板に、シート状の広告幕体をセットした広告方法は、特許文献１、２に開示された発明を始めとして、従来から良く知られている。
【０００３】
上記内照式看板を用いた広告は、各種の展示会や店舗玄関等に設置して行われており、シート状の広告幕体を内照式看板の四辺に形成された凹部にセットして固定するようになっている。
【０００４】
シート状からなる広告幕体を内照式看板の四辺に形成された凹部に挿入固定するため、広告幕体の四辺に、所定の厚さと強度を有する部材を固定し、この部材に広告幕体の四辺部分を巻き込んで、上記凹部にきっちりと挿入する固定することで、広告幕体を内照式看板上に綺麗に張ることができるようになっている。
【先行技術文献】
【特許文献】
【０００５】
【特許文献１】特開２０１１−０５９２９４号公報
【特許文献２】特開２０１１−２１５６４１号公報
【考案の概要】
【考案が解決しようとする課題】
【０００６】
上記した従来技術における広告幕体の四辺に設ける部材は、厚さが２ｍｍ程度、幅が２ｃｍ程度のシリコン製テープであり、このシリコン製テープを、広告幕体の四辺にミシンを用いて縫付けていた。
【０００７】
広告幕体の四辺に設ける部材を軟質材であるシリコン製のテープとすることで、例えば、広告幕体をテープと一体に円筒状に巻いて収用することができ、展示会等への持ち運びが便利であり、大きな収納スペースも必要としない等の利点がある一方、ミシンによる縫製作業が面倒であるとともに、縫付けているために広告幕体の四辺上で位置変更することができず、内照式看板の大きさに合わせて調整することができない、と言う課題があった。
【０００８】
またシリコン製のテープは高額であるとともに、粘着テープを容易に貼付可能な対応製品は一般的な流通ルートで販売されておらず、入手が困難であるという問題があった。また、シリコン製のテープではなく、安価な発泡ＰＰ樹脂等のテープを貼り付けた場合では、内照式看板にセットするだけなら問題ないが、シリコン製のテープのように広告幕体と一緒に円筒状に巻いて収用することができなかった。
【課題を解決するための手段】
【０００９】
本考案は、上記目的を達成するため、シート状の広告幕体を内照式看板の四辺に形成された凹部に挿入固定するための厚みテープであって、前記厚みテープの表面には所定間隔を置いて前記厚みテープの長手方向と直交する方向に複数のＶ字状溝又はスリットが形成され、裏面には接着剤が貼付されている、ことを特徴とする。
【００１０】
また本考案は、上記目的を達成するため、前記厚みテープが四辺部分に接着固定されている内照式看板用のシート状広告幕体である、ことを特徴とする。
【考案の効果】
【００１１】
本願考案によれば、安価な厚みテープを、シート状広告幕体の四辺に接着するだけで良く、また、その接着位置も内照式看板の大きさに応じて適宜に調整可能であり、かつＶ字状溝又はスリットが形成されていることで、広告幕体と一緒に巻いて（丸めて）収用することができるため、持ち運びや収納に極めて便利である。
【図面の簡単な説明】
【００１２】
【図１】内照式看板とシート状の広告幕体との関係を示す図
【図２】シート状幕体の四辺に厚みテープを貼付した状態を示す図
【図３】厚みテープの一部拡大斜視図
【図４】シート状広告幕体を巻いて収用する状態を示す図
【考案を実施するための最良の形態】
【００１３】
図１〜４を用いて、本考案の実施形態について詳細に説明するが、各実施形態は本願考案の範囲を限定的に解釈するためのものではなく、請求の範囲に記載された内容と考案の趣旨に基づいて、適宜に実施して良いことは言うまでもない。
【００１４】
図１は、内照式看板１とこれに装着するシート状の広告幕体１０との関係を示している。内照式看板１は、内側底面に複数のＬＥＤランプ２が内蔵されており、シート状の広告幕体１０をセットした後、内側から照明するようになっている。内照式看板１の四辺壁には、凹溝３が形成されており、シート状の広告幕体１０の四辺部分１１を挿入固定するようになっている。なお、照明装置としては、ＬＥＤランプに限らず、蛍光灯、その他の照明手段であっても良い。
【００１５】
図２は、シート状の広告幕体１０の裏面四辺部分１１に厚みテープ２０が貼付された状態の平面図である。当該シート状の広告幕体１０の四辺部分１１を、貼付されている厚みテープ２０に適当回数巻き込むようにした後、内照式看板１の凹溝３に挿入して固定する。
【００１６】
厚みテープ２０は、図３に一部拡大図として示すように、表面にＶ字状溝２１が形成され、裏面には両面テープ３０が貼付されており、保護フィルムを剥がしてから、シート状の広告幕体１０の四辺部分１１に貼り付けるものである。
【００１７】
上記厚みテープ２０の貼り付け作業は、内照式看板１の大きさに合わせて展示会場等の現場で合わせてもよく、或いは事前に内照式看板１の大きさに合わせて貼付しておき、シート状の広告幕体１０と一体化した状態で展示会等に持参しても良い。
【００１８】
厚みテープ２０は、発泡ＰＰ樹脂製の７０ｃｍ×１００ｃｍ、厚さ２〜４ｍｍ程度の市販の板状体を利用して作成する。まず、品質に問題のある四辺１．５ｃｍをカットし、続いて板状体の表面に２〜４ｃｍ程度の間隔でＶ字状溝２１を形成し、裏面に両面テープ３０を貼付し、最後に１〜２ｃｍ程度の幅（標準サイズは１．５ｃｍ）にカットして、一本の厚みテープ２０とする。厚みテープ２０の長さは、標準サイズとして９７ｃｍとするが、内照式看板１の大きさ又はシート状の広告幕体１０の大きさに応じて、適宜に長さをカットして使用する。
【００１９】
Ｖ字状溝２１の深さは、厚みテープ２０をシート状の広告幕体１０に貼り付けた状態で、一体となって巻くことができる深さであれば特に限定されないが、好ましくは厚みテープ２０の厚さの６０〜８０％程度であれば良い。
【００２０】
隣り合うＶ字状溝２１の間隔は２〜４ｃｍに限らず、広告幕体１０と一体に丸めて収用することができる適宜の間隔であれば特に限定されない。
【００２１】
厚みテープ２０の材質は、上記した発泡ＰＰ樹脂の他、ＰＰ樹脂、ウレタン樹脂、発泡ウレタン樹脂、軟質塩ビ樹脂、発泡塩ビ樹脂、ＰＥ樹脂、発泡ＰＥ樹脂、ＡＢＳ樹脂、発泡ＡＢＳ樹脂、スチロール樹脂、発泡スチロール樹脂等であっても良く、適度な弾性と柔軟性を有し、内照式看板１の四辺壁に形成された凹溝３に、シート状の広告幕体１０をしっかり固定できる材質であれば特に限定されない。
【００２２】
厚みテープ２０が四辺に貼付された広告幕体１０は、厚みテープ２０に形成されたＶ字状溝２１によって、図４に示すように、簡単に丸めて収用できるようになっている。
【００２３】
なお、Ｖ字状溝２１の構成は特に限定されないが、その頂角は４０〜１２０度、より好ましくは６０〜９０度とするのが適当である。
【００２４】
上記実施形態によれば、厚みテープ２０の表面に形成するＶ字状溝２１の頂角を適宜な角度とすることで、シート状の広告幕体１０をどの方向からでも巻くことができる（即ち、広告表面を内側、外側のどちら側にしても巻くことができる）。
【００２５】
他の実施形態としては、上記のＶ字状溝２１に代えて、厚みテープ２０の表面に所定深さのスリット（切り込み）を入れても良い（図示せず）。この場合、スリットが広がる方向にしか広告幕体１０を巻くことはできないが、より簡単な構成で厚みテープ２０が貼付された状態で広告幕体１０を巻いて収用することができる。
【００２６】
以上のとおり本願考案によれば、厚みテープの表面に形成されたＶ字状溝、或いはスリット（切り込み）によって、当該厚みテープを貼付した状態でもシート状広告幕体を巻いて（丸めて）収用することができるため、持ち運びや収納に極めて便利であり、かつ厚みテープは、安価かつ市販の樹脂板によって簡単に製作でき、またその接着位置も内照式看板の大きさに応じて適宜に調整可能であり、取り扱いも極めて便利である。
【符号の説明】
【００２７】
１  内照式看板
２  ＥＬＤランプ
３  凹溝
１０  シート状の広告幕体
２０  厚みテープ
２１  Ｖ字状溝
３０  両面接着テープ
【図１】
0003207052.tif 000003
【図２】
0003207052.tif 000004
【図３】
0003207052.tif 000005
【図４】
0003207052.tif 000006